(57)【要約】      （修正有）【課題】取着部位からの手袋または靴下の脱落を防止する脱落防止具、手袋または靴下の脱落を防止する方法を提供する。【解決手段】脱落防止具１は、帯状の本体部に、摩擦力発生部１０１と、裏地１０２と、フック面およびフック面裏地１０４と、ループ面１０５と、バインディング部１０６を備えている。本体部表面には、薄いシート状のウレタンスポンジで形成された摩擦力発生部が配置され、表面の一端側にループ面が、他端側にフック面裏地が各々配置されている。ループ面は、皮膚に触れた際の刺激低減のために、柔軟で細い繊維により形成されたものが使用されている。本体部裏面には、メリヤスである裏地が配置され、先述のフック面裏地に対応する部分にフック面が配置されている。先述のループ面に対応する箇所は裏地が覆っている。【選択図】図３
2016003408.tif 000002
【特許請求の範囲】
【請求項１】
変形性を有し、表面が柔軟な帯状の本体部と、
該本体部の少なくとも一面側に設けられた摩擦力発生部と、
前記本体部を環状に連結可能な一対の着脱手段とを備える
脱落防止具。
【請求項２】
前記本体部の摩擦力発生部が設けられた面の裏側である他の面に、皮膚への刺激が少ない素材が配置されている
請求項１記載の脱落防止具。
【請求項３】
少なくとも前記本体部が通気性の良い素材で形成されている
請求項１または請求項２記載の脱落防止具。
【請求項４】
前記着脱手段が、環状となった前記本体部の直径調節機能を有する
請求項１、請求項２または請求項３記載の脱落防止具。
【請求項５】
前記着脱手段として面ファスナーが用いられている
請求項１、請求項２または請求項３記載の脱落防止具。
【請求項６】
本体径を調節可能な本体部と、
該本体部に設けられた摩擦力発生部とを備える
脱落防止具。
【請求項７】
周面に摩擦力発生部を有する脱落防止具を、同摩擦力発生部が外側を向くように腕に取着するステップと、
前記本体部を覆うように被せて手袋を取着するステップとを備える
手袋の脱落防止方法。
【請求項８】
周面に摩擦力発生部を有する脱落防止具を、同摩擦力発生部が外側を向くように下肢に取着するステップと、
前記本体部を覆うように被せて靴下を取着するステップとを備える
靴下の脱落防止方法。
【発明の詳細な説明】
【技術分野】
【０００１】
本発明は、脱落防止具、および、手袋または靴下の脱落防止方法に関するものである。更に詳しくは、手袋または靴下の取着部位から手袋または靴下の脱落を防止するもの、および、手袋または靴下の脱落を防止する方法、に関する。
【背景技術】
【０００２】
従来から、新生児や乳児（以下「乳児等」と称する）に対して、手袋、靴下が使用されている。手袋、靴下ともに保温や保湿が主目的であるが、手袋に関しては顔を引っ掻くことを防止することも期待されており、常態的に使用されているケースもみられる。
このような手袋等の例として、下記非特許文献１及び２に開示されたものがある。
【先行技術文献】
【非特許文献】
【０００３】
【非特許文献１】ベビー用品通販アカチャンホンポ  新生児小物  ミトン  インターネット＜URL：http://shop.akachan.jp/shopping/g/g133016800＞
【０００４】
【非特許文献２】ベビー用品通販アカチャンホンポ  新生児小物  ソックス  インターネット＜URL：http://shop.akachan.jp/shopping/g/g701040700＞
【発明の概要】
【発明が解決しようとする課題】
【０００５】
ところで、乳児等用の手袋や靴下（両方を区別する場合を除いて、以下「手袋等」と称する）は、親の気がつかないうちに紛失していることがある。これは、元々乳児等用の手袋等はゴム等の締め付けを緩くしてあり、また、洗濯を繰り返すことによって劣化し締め付けが緩くなること、乳児等は手首や足首に凹凸が少ないため、そもそも手袋等が抜けやすいこと、月齢を重ねる毎に乳児等の動きが活発化すること、等の理由から、手袋等が着用部位から外れやすいためである。
【０００６】
このため、例えばベビーカーに載せて外出をしていると、ベビーカーを押す親側からは載せた乳児等が見にくく、気がつけば手袋等が外れて無くなっている、という状況が生じることもある。
【０００７】
これに対し、単純に手袋等の締め付けを強化したり、靴下用糊のような皮膚用接着剤を利用したりすれば良いようにも思えるが、乳児の肌は柔らかく刺激に対して敏感であるため、締め付け強化を行ったり皮膚用接着剤を塗ったりすると、肌を傷めてしまう可能性がある。それ故、手袋等が意図せずに取着部位から外れることを防止できる手段が求められており、加えて、その保持手段は肌への刺激が少ないものが好ましい。
【０００８】
本発明は、以上の点を鑑みて創案されたものであり、取着部位からの手袋または靴下の脱落を防止する脱落防止具、および、手袋または靴下の脱落を防止する方法を提供することを目的とするものである。
【課題を解決するための手段】
【０００９】
上記の目的を達成するために本発明に係る脱落防止具は、変形性を有し、表面が柔軟な帯状の本体部と、該本体部の少なくとも一面側に設けられた摩擦力発生部と、前記本体部を環状に連結可能な一対の着脱手段とを備える。
【００１０】
ここで、本発明に係る脱落防止具は、先に述べた本体部と着脱手段を備えることにより、環状にした脱落防止具を乳児等の手首や足首（両方を区別する場合を除いて、以下「手首等」と称する）の取着部位へ着脱することができる。なお、本体部が変形性を有するため、乳児等の手首等の形状にフィットしやすく、本体部の表面が柔軟であるため、肌を傷つけにくい。
【００１１】
そして、摩擦力発生部を外側に向けて取着することにより、本体部を覆うように被せて手袋等を着用させた際に、手袋等の内面と摩擦力発生部との間で摩擦力が生じて抵抗となるので、手袋等が取着部位から外れにくくなる。加えて、脱落防止具の厚みも係止要素として作用し、手袋等が取着部位から外れにくくなる。
【００１２】
前記本体部の摩擦力発生部が設けられた面の裏側である他の面に、皮膚への刺激が少ない素材が配置されている場合は、長時間使用しても皮膚のかぶれや擦過傷等を防止することができる。
【００１３】
少なくとも前記本体部が通気性の良い素材で形成されている場合は、着用の際に取着部位の蒸れを防止することができる。
【００１４】
前記着脱手段が、環状となった前記本体部の直径調節機能を有する場合は、乳児等の手首等の太さに合わせて本体部の直径を調節することで、取着部位を過剰に締め付けて傷つけることなく取着することができる。
【００１５】
前記直径調節部として面ファスナーを用いられている場合は、着脱作業が容易であり、また、直径を調節することによる締め付けの微調整がしやすい。
【００１６】
上記の目的を達成するために本発明に係る脱落防止具は、本体径を調節可能な本体部と、該本体部に設けられた摩擦力発生部とを備える。
【００１７】
ここで、本発明に係る脱落防止具は、本体径を調節可能な本体部を備えることにより、凹凸が少ない乳児等の手首等の取着部位を過剰に締め付けて傷つけることなく取着することができる。そして、摩擦力発生部を外側に向けて取着することにより、本体部を覆うように被せて手袋等を着用させた際に、手袋等の内面と摩擦力発生部との間で摩擦力が生じて抵抗となるので、手袋等が取着部位から外れにくくすることができる。
【００１８】
上記の目的を達成するために本発明に係る手袋の脱落防止方法は、周面に摩擦力発生部を有する脱落防止具を、同摩擦力発生部が外側を向くように腕に取着するステップと、前記本体部を覆うように被せて手袋を取着するステップとを備える。
【００１９】
ここで、前述の方法で手袋を着用することにより、本体部を覆うように被せて手袋を着用した際に、手袋の内面と摩擦力発生部との間で摩擦力が生じて抵抗となり、着用した手袋を外れにくくすることができる。
【００２０】
上記の目的を達成するために本発明に係る靴下の脱落防止方法は、周面に摩擦力発生部を有する脱落防止具を、同摩擦力発生部が外側を向くように下肢に取着するステップと、前記本体部を覆うように被せて靴下を取着するステップとを備える。
【００２１】
ここで、前述の方法で靴下を着用することにより、本体部を覆うように被せて靴下を着用した際に、靴下の内面と摩擦力発生部との間で摩擦力が生じて抵抗となり、着用した靴下を外れにくくすることができる。
【発明の効果】
【００２２】
本発明による脱落防止具によれば、取着部位からの手袋または靴下の脱落を防止できる。
また、本発明による手袋または靴下の脱落防止方法によれば、取着部位からの手袋または靴下の脱落を防止できる。
【図面の簡単な説明】
【００２３】
【図１】本発明の脱落防止具を示す斜視図である。
【図２】図１に示す脱落防止具の裏側を示す斜視図である。
【図３】図１に示す脱落防止具を環状にした斜視図である。
【図４】図１に示す脱落防止具を手首に用いた状態の使用状態説明図である。
【図５】図１に示す脱落防止具を足首に用いた状態の使用状態説明図である。
【発明を実施するための形態】
【００２４】
図１ないし図５を参照して、本発明の実施の形態を更に詳細に説明する。なお、各図における符号は、煩雑さを軽減し理解を容易にする範囲内で付している。
【００２５】
〔実施例〕
図１ないし図３を参照して、本実施例に係る脱落防止具１について説明する。脱落防止具１は、帯状の本体部１０に、摩擦力発生部１０１と、裏地１０２と、フック面１０３およびフック面裏地１０４と、ループ面１０５と、バインディング部１０６を備えている。なお、フック面１０３およびループ面１０５は面ファスナーの構成要素であり、先に述べた「一対の着脱手段」に相当する。
【００２６】
本体部１０の表面には、薄いシート状のウレタンスポンジで形成された摩擦力発生部１０１が配置されている。また、本体部１０は、表面の一端側にループ面１０５が配置されており、他端側にフック面裏地１０４が配置されている（図１参照）。なお、ループ面１０５は、皮膚に触れた場合の刺激を低減するために、柔軟で細い繊維により形成されたものを特に使用している。
【００２７】
本体部１０の裏面には、メリヤスである裏地１０２が配置されており、先に述べたフック面裏地１０４に対応する部分にフック面１０３が配置されている。なお、先に述べたループ面１０５に対応する箇所は裏地１０２が覆っている（図２参照）。
【００２８】
本体部１０は、主に薄いウレタンスポンジで形成された摩擦力発生部１０１と布である裏地１０２の２層構造であり、これらの長手方向端面を布地で包んで縫着し、バインディング部１０６としている。
【００２９】
脱落防止具１は、摩擦力発生部１０１が外側になるように丸め、ループ面１０５にフック面１０３を取着して環状にする（図３参照）。なお、本実施例においては、ループ面１０５の長さは、フック面１０３の長さの約２倍に設定されており、脱落防止具１の直径はループ面１０５の長さの範囲内で適宜調節できる。
【００３０】
本実施例では、摩擦力発生部は、摩擦力が生じ、かつ、柔軟性があると共に通気性が良く、皮膚へ触れた際の刺激が少ないことから、ウレタンスポンジが好適に用いられるが、これに限定するものではなく、例えばフェルト、目の粗い不織布等の他の公知素材で形成してもよいし、先に述べた作用を奏する他の公知素材を除外するものではない。なお、本実施例は、摩擦力発生部が摩擦面となる態様であるが、これに限定するものではなく、摩擦力発生部は、平坦なもののみならず立体的なものであってもよいし、連続したもののみならずスポット状あるいは縞状に配置されたものであってもよい。
【００３１】
本実施例では、裏地とフック面裏地は、柔軟性があると共に通気性と吸水性が良く、皮膚へ触れた際の刺激が少ないことから、メリヤス地の綿布が好適に用いられるが、これに限定するものではなく、例えば絹、不織布等の他の公知素材で形成してもよいし、先に述べた作用を奏する他の公知素材を除外するものではない。
【００３２】
本実施例では、着脱手段として面ファスナーを採用しているが、これに限定するものではなく、例えば、結着紐、ホックボタンや鉤フック等の他の公知手段であってもよい。
【００３３】
本実施例では、本体部が薄いウレタンスポンジで形成された摩擦力発生部と布である裏地の２層構造であるが、これに限定するものではなく、例えば、１層の不織布であって、表裏面のパターンを変えることによって摩擦力発生部と低刺激面を有するものであっても良いし、３層以上であって、表裏面の間に芯地または芯材を有するもの等、他の構造であってもよい。
【００３４】
図４および図５を参照して、脱落防止具１の使用方法について説明する。
図４に示す乳児等の手首Ｗに、摩擦力発生部１０１が外側となるように、脱落防止具１を取着する。次いで、ミトンＭを、その差し入れ口が脱落防止具１を覆うように被せて取着する。ミトンＭの素材は一般的には綿等のガーゼ地が使用されており、摩擦力発生部１０１のウレタンスポンジとの接触でミトンＭが容易には脱落しない程度の摩擦力が生じる。
【００３５】
この結果、ミトンＭの内面と摩擦力発生部１０１との間で摩擦力が生じて抵抗となるので、ミトンＭが取着部位から外れにくくなる。加えて、本体部１０の厚みも係止要素として作用することで、ミトンＭが取着部位から外れにくくなる。
【００３６】
なお、乳児等の手首Ｗの皮膚に直接接触する部分である裏地１０２が皮膚への刺激が少ない素材であるため、長時間使用しても皮膚のかぶれや擦過傷等を防止することができる。また、本来は固い素材であるフック面１０３の裏側にはフック面裏地１０４を、ループ面１０５の裏側には裏地１０２を、それぞれ配置し、皮膚への刺激を少なくしている。
【００３７】
加えて、バインディング部１０６も柔軟な布地であるため、一般的なバンド類が食い込みがちな長縁部が、軟らかく敏感な乳児等の皮膚に食い込むことを防止している。
また、本体部１０の主たる構成材である裏地１０２および摩擦力発生部１０１は、それぞれの通気性が良く、２層構造であっても取着部位が蒸れにくくなっている。
【００３８】
脱落防止具１を手首Ｗに取着する際には、ループ面１０５の長さがフック面１０３の長さの約２倍に設定されていることから、脱落防止具１の直径はループ面１０５の長さの範囲内で適宜調節できるので、取着部位を過剰に締め付けて傷つけることなく取着することができる。
【００３９】
また、面ファスナーであるため、着脱作業が容易であり、生まれつきや月齢によって異なる乳児等の体型に応じて締め付けの微調整がしやすい。なお、脱落防止具１の直径調節に際してループ面１０５が外側に露出するが、この場合、摩擦力発生部１０１と同様に外側に露出したループ面１０５についても、ミトンＭの内面との間で摩擦力が生じて抵抗となる。
【００４０】
図５に示す乳児等の足首Ａに、摩擦力発生部１０１が外側となるように、脱落防止具１を取着する。次いで、ソックスＳを、その差し入れ口が脱落防止具１を覆うように被せて取着する。ソックスＳの素材は一般的には綿、アクリル、ナイロン、ポリウレタン等を混合して使用されており、摩擦力発生部１０１のウレタンスポンジとの接触でソックスＳが容易には脱落しない程度の摩擦力が生じる。
なお、脱落防止具１の作用効果については、図４に示した手首の場合と同じであるため、説明を省略する。
【００４１】
なお、本明細書中では、主に乳児等の使用に則して説明したが、例えば、病気や体質に起因して肌が弱い、加齢等により手足がむくみやすい等の理由から、通常の靴下でもゴムの締め付けがきついと感じる者についても、利用対象者とすることができる。
【００４２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００４３】
１    脱落防止具
１０    本体部
１０１    摩擦力発生部
１０２    裏地
１０３    フック面
１０４    フック面裏地
１０５    ループ面
１０６    バインディング部
Ｗ    手首
Ｍ    ミトン
Ａ    足首
Ｓ    ソックス
【図１】
2016003408.tif 000003
【図２】
2016003408.tif 000004
【図３】
2016003408.tif 000005
【図４】
2016003408.tif 000006
【図５】
2016003408.tif 000007